(57)【要約】【課題】電子機器内の配線への応用に際して要求される可動性を満たし、外部の構造体との接触による折れ・擦れ・磨耗の低減を実現する。【解決手段】本発明の光配線４は、電子機器に搭載される光配線であって、光信号を伝送する光伝送路９を備え、電子機器内の構造体１１との接触時に発生する摩擦を、光伝送路９と構造体１１との接触時よりも低減させ、かつ光伝送路９の変形に応じて可撓する潤滑層１０が設けられている。【選択図】図１
2009075365.tif 000002
【特許請求の範囲】
【請求項１】
電子機器に搭載される光配線であって、
光信号を伝送する光伝送路を備え、
電子機器内の構造体との接触時に発生する摩擦を、光伝送路と構造体との接触時よりも低減させ、かつ光伝送路の変形に応じて可撓する機能層が設けられていることを特徴とする光配線。
【請求項２】
上記機能層は、光伝送路における上記構造体との対向面を含む面に設けられていることを特徴とする請求項１に記載の光配線。
【請求項３】
上記光伝送路における機能層と反対側の部分、及び上記機能層における上記構造体との対向部分の少なくとも一方が、凹部と凸部とが交互に形成された凹凸構造になっていることを特徴とする請求項１または２に記載の光配線。
【請求項４】
上記凹凸構造における凹部及び凸部が、光信号を伝送する光伝送方向と平行になるように形成されていることを特徴とする請求項３に記載の光配線。
【請求項５】
上記凹凸構造における凹部及び凸部が、光信号を伝送する光伝送方向と垂直になるように形成されていることを特徴とする請求項３に記載の光配線。
【請求項６】
上記凹凸構造における凹部及び凸部が、光信号を伝送する光伝送方向に対し傾斜するように形成されていることを特徴とする請求項３に記載の光配線。
【請求項７】
上記凹凸構造における凹部が、光信号を伝送する光伝送方向に対し、平行かつ垂直になるになるように形成されており、
凹部と凸部とで格子形状を形成していることを特徴とする請求項３に記載の光配線。
【請求項８】
上記機能層に、格子状のスリットが形成されていることを特徴とする請求項１または２に記載の光配線。
【請求項９】
上記光伝送路が、透光性を有する材料から構成されるコア部と、該コア部の屈折率と異なる屈折率を有する材料から構成されるクラッド部とを備えた光導波路であることを特徴とする請求項１〜８の何れか１項に記載の光配線。
【請求項１０】
機能層における上記構造体との対向部分が、凹部と凸部とからなる凹凸構造になっており、
上記凸部が、光伝送方向に延びる上記コア部と重なるように形成されていることを特徴とする請求項９に記載の光配線。
【請求項１１】
上記クラッド部は、上記コア部の周囲を覆うように形成されているとともに、
光導波路における機能層と反対側の部分が、クラッド部を構成する材料のみで構成される凹部とコア部を構成する材料を含む凸部とからなる凹凸構造になっていることを特徴とする請求項９に記載の光配線。
【請求項１２】
上記機能層における光導波路側の部分が、凹部と凸部とが交互に形成された凹凸構造になっており、
上記コア部は、上記凹部に収まるように形成されていることを特徴とする請求項９に記載の光配線。
【請求項１３】
上記コア部と上記機能層とが接しており、
該コア部における機能層との接面が、上記クラッド部における機能層との接面と同一平面になっていることを特徴とする請求項９に記載の光配線。
【請求項１４】
上記コア部及び上記クラッド部における機能層と反対側の面が、同一平面になっていることを特徴とする請求項９に記載の光配線。
【請求項１５】
上記光伝送路が、透光性を有する材料から構成されるコア部のみで構成されていることを特徴とする請求項１または２に記載の光配線。
【請求項１６】
上記機能層が、引張強度が５０ＭＰａ以上であり、かつ、弾性率が６５００ＭＰａ以下または引張強度の８０倍以下の有機材料から構成されており、その厚さが７００μｍ以下であることを特徴とする請求項１〜１５の何れか１項に記載の光配線。
【請求項１７】
上記機能層が、引張強度が１００ＭＰａ以上であり、かつ、ヤング率が２００ＧＰａ以下の金属材料から構成されており、その厚さが７０μｍ以下であることを特徴とする請求項１〜１５の何れか１項に記載の光配線。
【請求項１８】
上記機能層は、光伝送路表面に存在する構成材料の未反応基をキャップするプライマ材料から構成されていることを特徴とする請求項１〜１５の何れか１項に記載の光配線。
【請求項１９】
上記機能層が、コーティング材料と揮発溶剤との混合物の固化物から構成されたことを特徴とする請求項１〜１５の何れか１項に記載の光配線。
【請求項２０】
上記機能層は、
微粒子と、該微粒子を固定する固定樹脂の固化物からなる固定層とを備え、
上記微粒子が上記固定層に対して突出していることを特徴とする請求項１〜１５の何れか１項に記載の光配線。
【請求項２１】
請求項１〜２０の何れか１項に記載の光配線を備えた光伝送モジュールであって、
電気信号を光信号に変換する第１の光素子が搭載された第１の基板と、
光信号を電気信号に変換する第２の光素子が搭載された第２の基板とを備え、
上記光配線は、上記第１及び第２の光素子と光学的に結合して、第１及び第２の基板間で光信号を伝送するようになっていることを特徴とする光伝送モジュール。
【発明の詳細な説明】
【技術分野】
【０００１】
本発明は、光信号を伝送する光配線、及び光伝送モジュールに関するものである。
【背景技術】
【０００２】
近年、高速で大容量のデータ通信が可能な光通信網が拡大している。今後、この光通信網は民生機器への搭載が予想されている。そして、データ転送の高速大容量化、ノイズ対策、機器内の基板間をデータ伝送する基板間配線として、現在の電気ケーブルと変わりなく使用することができる光配線が求められている。この光配線としては、光ファイバ、プラスチック光ファイバ（ＰＯＦ）が挙げられる。
【０００３】
従来、基板間配線として、光ファイバ、またはプラスチック光ファイバといった長距離データ伝送用途に適した加工法で作製可能な光ケーブルを採用することが主であった。また、従来の基板間配線は、外部からの機械衝撃による特性の劣化を防止するために、被覆層により周囲を保護する被覆構造を採用していた。
【０００４】
また、フィルム光導波路は、材料・パターンを選ばない加工法で作製されるため、光機能を得ることに適している。それゆえ、光導波路は、主に光回路用途向けであった。光導波路とは、屈折率の大きいコアと、該コアの周囲に接して設けられる屈折率の小さいクラッドとにより形成され、コアに入射した光信号を該コアとクラッドとの境界で全反射を繰り返しながら伝搬するものである。また、フィルム光導波路は、コアおよびクラッドが柔軟な高分子材料からなるため柔軟性を有している。
【０００５】
上記のフィルム光導波路として、例えば特許文献１には、クラッド部の主面が、酸化物、窒化物または酸窒化物からなる保護層で被覆されたフィルム光導波路が開示されている。
【０００６】
また、高速で大容量のデータ通信が求められている中、従来の電気配線による伝送と、光配線による伝送とを共存させた電気−光伝送一体型モジュールが提案されている。この電気−光伝送一体型モジュールでは、基板間配線の一部として光導波路を採用した、電気／光混載基板が採用されている。
【０００７】
上記電気／光混載基板では、電気配線の層を基板として、その上に光配線の層を積層することが困難である。また、光導波路形成の都合上、電気配線の層と光配線の層とを同一平面上に形成することが困難である。それゆえ、一般に、電気／光混載基板は、比較的積層数が多い多層構造となる。
【０００８】
このような電気／光混載基板のフレキシブル性を向上させる技術が、例えば特許文献２に開示されている。特許文献２には、電気／光混載基板の屈曲部分でのみ、光配線と電気配線とを分離（離間）させ、これら配線間に空間（空気層）を形成する技術が記載されている。これにより、電気／光混載基板トータルの厚さを低減させている。また、電気／光混載基板において、光配線及び電気配線を平面的にずらし、光配線及び電気配線が重ならないようにする技術が記載されている。このような技術は、電気／光混載基板に限らず、通常の電気配線にて行われてきた技術の応用である。
【特許文献１】特開２００５−１５６８８２号公報（平成１７(2005)年  ６月１６日公開）
【特許文献２】特開２００６−２８４９２５号公報（平成１８(2006)年１０月１９日公開）
【発明の開示】
【発明が解決しようとする課題】
【０００９】
近年、携帯電話やパソコン等の電子機器の発展により、基板間配線は、データ伝送距離の短距離化、及び省スペース化が要求されている。これに伴い、電子機器の基板間配線において、曲げや捻り等の可動性が重要視される領域が着目されてきている。従来の基板間配線の曲げ性では、電子機器内の配線への応用に際して要求される可動性を満たすことが困難である。
【００１０】
一方、フィルム光導波路は、材料・パターンを選ばない加工法で作製されるため、材料として柔軟材料を用いることが可能である。それゆえ、フィルム光導波路単体は、電子機器内の配線への応用に際して要求される可動性を満たすことができる。
【００１１】
しかしながら、実際に、フィルム光導波路を電子機器の基板間配線へ応用した場合、フィルム光導波路がフレキシブルな（柔軟性）光配線であることに起因する以下の課題がある。すなわち、基板間配線としてのフィルム光導波路が電子機器内に搭載されたとき、フィルム光導波路は、フィルム光導波路外部の構造体との間で接触が生じる。そして、この接触により、従来の基板間配線よりも、光学特性の劣化を受けやすくなるという課題がある。また、フィルム光導波路が、外部の構造体との接触により、折れる、擦れる、または磨耗するおそれがある。
【００１２】
また、従来の基板間配線と同様に、フィルム光導波路に対し、被覆層により周囲（両面・全面）を保護する被覆構造を採用した場合であっても、以下の課題がある。すなわち、フィルム光導波路がどんなに屈曲性・柔軟性を有していても、上記被覆構造を有するフィルム光導波路は、曲げ弾性率が被覆層の曲げ弾性率に律束する。その結果、基板間配線としてのフィルム光導波路が著しく曲がりにくくなり、電子機器内の配線への応用に際して要求される可動性を満たすことが困難になる。
【００１３】
また、特許文献２のように、光配線と電気配線とを分離（離間）させ、これら配線間に空間（空気層）を形成する技術では、通常の電気配線にて行われてきた技術では予想し得ない、以下の光配線独自の課題がある。
【００１４】
すなわち、電気／光混載基板において屈曲性を重視する光導波路を形成する場合、ＰＩ（ポリイミド）を主材料とする電気配線と異なり、屈曲時の漏れ光を減少させるため、コアとクラッドとの間の屈折率差を大きくする必要がある。また、クラッドの材料選択においては、コアとの屈折率差を大きくするのに加え、屈曲時のせん断に耐えるために、より柔軟な材料が求められている。
【００１５】
従来の光通信用の光導波路では、クラッドとコアとの屈折率差が極めて小さく精密な制御が必要であるため、コアに添加物を添加することで、クラッドを実現していた。すなわち、コアとクラッドとは、材料の主成分が同じであった。これに対し、電気／光混載基板（基板間配線）の光配線として光導波路を用いた場合、クラッドの材料は、従来の光通信用の光導波路のようにコアに添加物を添加することでクラッドを形成することなく、選択肢の幅が広がり、これまでの工業製品にて使用されてきた様々な材料が候補として考えられる。
【００１６】
ただし、クラッドの材料として結果的に柔軟な樹脂が選択された場合、この樹脂はタック性を有することが多い。それゆえ、特許文献２のように、光配線と電気配線と間に空間（空気層）を形成しても、光配線表面がタック性を有しているため、屈曲時に電気配線と光配線とが接触し、（接着層がないにも関わらず）互いに貼り付いてしまうという問題がある。
【００１７】
また、特許文献２のように、光配線と電気配線と間に空間（空気層）を形成した構成では、光導波路のにおけるクラッドが空気に露出している。このため、光導波路屈曲時にコアから漏れた光がクラッド内部に閉じこもり、光導波路端部まで伝播してしまうおそれがある。その結果、光導波路端部のクラッドから漏れ出た漏れ光は、受光素子と結合し、光伝送モジュールの誤動作の原因となる。クラッド内部を伝播する漏れ光は、コアを伝播する信号光に対し光路差があるため、受光される信号波形が崩れるおそれがある。
【００１８】
本発明は、上記の問題点に鑑みてなされたものであり、その目的は、電子機器内の配線への応用に際して要求される可動性を満たし、外部の構造体との接触による折れ・擦れ・磨耗を低減できる光配線、及び光伝送モジュールを提供することにある。
【課題を解決するための手段】
【００１９】
本発明に係る光配線は、上記の課題を解決するために、電子機器に搭載される光配線であって、光信号を伝送する光伝送路を備え、電子機器内の構造体との接触時に発生する摩擦を、光伝送路と構造体との接触時よりも低減させ、かつ光伝送路の変形に応じて可撓する機能層が設けられていることを特徴としている。
【００２０】
上記の構成によれば、電子機器内の光伝送路が可動したときに、機能層が電子機器内の構造体と接触する。これにより、光伝送路が構造体と接触することが防止される。また、この機能層は、構造体との接触時に発生する摩擦を、光伝送路と構造体との接触時よりも低減させる。それゆえ、光伝送路は、電子機器内で構造体を滑るように可動する。これにより、光配線は、構造体との接触による折れ・擦れ・磨耗が低減され、光学特性の劣化が生じにくくなる。機能層は、光伝送路の変形に応じて可撓するので、光伝送路の屈曲性・捻回性を維持できる。
【００２１】
以上のように、上記の構成によれば、電子機器内の配線への応用に際して要求される可動性を満たし、外部の構造体との接触による折れ・擦れ・磨耗を低減できる光配線を実現することができる。
【００２２】
本発明に係る光配線では、上記機能層は、光伝送路における上記構造体との対向面を含む面に設けられていることが好ましい。
【００２３】
これにより、確実に光伝送路が構造体と接触することが防止される。
【００２４】
本発明に係る光配線では、上記光伝送路における機能層と反対側の部分、及び上記機能層における上記構造体との対向部分の少なくとも一方が、凹部と凸部とが交互に形成された凹凸構造になっていることが好ましい。
【００２５】
これにより、機能層は、光導波路の可動性（変形）に応じた可撓性が向上する。その結果、電子機器内の配線への応用に際して要求される可動性を満たす光配線を実現することができる。
【００２６】
本発明に係る光配線では、上記凹凸構造における凹部及び凸部が、光信号を伝送する光伝送方向と平行になるように形成されていることが好ましい。
【００２７】
これにより、光伝送路の捻回に応じた可撓性が向上する。
【００２８】
本発明に係る光配線では、上記凹凸構造における凹部及び凸部が、光信号を伝送する光伝送方向と垂直になるように形成されていることが好ましい。
【００２９】
これにより、光伝送路の屈曲に応じた可撓性が向上する。
【００３０】
本発明に係る光配線では、上記凹凸構造における凹部及び凸部が、光信号を伝送する光伝送方向に対し傾斜するように形成されていることが好ましい。
【００３１】
これにより、光伝送路の捻回に応じた可撓性が向上する。
【００３２】
本発明に係る光配線では、上記凹凸構造における凹部が、光信号を伝送する光伝送方向に対し、平行かつ垂直になるになるように形成されており、凹部と凸部とで格子形状を形成していることが好ましい。
【００３３】
これにより、光伝送路の捻回及び屈曲に応じた可撓性が向上する。
【００３４】
本発明に係る光配線では、上記機能層に、格子状のスリットが形成されていてもよい。
【００３５】
本発明に係る光配線では、上記光伝送路が、透光性を有する材料から構成されるコア部と、該コア部の屈折率と異なる屈折率を有する材料から構成されるクラッド部とを備えた光導波路であることが好ましい。
【００３６】
これにより、電子機器内の配線への応用に際して要求される可動性を満たす光伝送路を実現することができる。
【００３７】
本発明に係る光配線では、機能層における上記構造体との対向部分が、凹部と凸部とからなる凹凸構造になっており、上記凸部が、光伝送方向に延びる上記コア部と重なるように形成されていることが好ましい。なお、「重なる」とは、構造体側から投影した正射影が一致することを指すものとする。
【００３８】
上記の構成によれば、上記凸部が、光伝送方向に延びる上記コア部と重なるように形成されているので、上記凸部が光伝送方向に延びる上記コア部と重ならない構成と比較して、光導波路が捻回したとき、クラッド部にかかる応力がコア部に集中しにくくなるという効果を奏する。さらに、上記の構成によれば、コア部からの漏れ光が、上記凸部で複数回反射し、光伝送路外部へ抜けやすくなる。この結果、信号伝送のＳ／Ｎ比が向上するという効果がある。
【００３９】
本発明に係る光配線では、上記クラッド部は、上記コア部の周囲を覆うように形成されているとともに、光導波路における機能層と反対側の部分が、クラッド部を構成する材料のみで構成される凹部とコア部を構成する材料を含む凸部とからなる凹凸構造になっていることが好ましい。
【００４０】
これにより、光導波路自体の可動性が向上する。その結果、電子機器内の配線への応用に際して要求される可動性を満たす光配線を実現することができる。
【００４１】
本発明に係る光配線では、上記機能層における光導波路側の部分が、凹部と凸部とが交互に形成された凹凸構造になっており、上記コア部は、上記凹部に収まるように形成されていることが好ましい。
【００４２】
上記の構成によれば、光配線は、コア部に対し機能層側に形成されたクラッド部が省かれた構成になる。それゆえ、クラッド部がコア部の周囲を覆うように形成された光導波路を備えた光配線と比較して、厚さを薄くすることが可能になる。
【００４３】
本発明に係る光配線では、上記コア部と上記機能層とが接しており、該コア部における機能層との接面が、上記クラッド部における機能層との接面と同一平面になっていることが好ましい。
【００４４】
上記の構成によれば、光配線は、コア部に対し機能層側に形成されたクラッド部が省かれた構成になる。それゆえ、クラッド部がコア部の周囲を覆うように形成された光導波路を備えた光配線と比較して、厚さを薄くすることが可能になる。
【００４５】
本発明に係る光配線では、上記コア部及び上記クラッド部における機能層と反対側の面が、同一平面になっていることが好ましい。
【００４６】
上記の構成によれば、光配線は、コア部に対し機能層と反対側に形成されたクラッド部が省かれた構成になる。それゆえ、クラッド部がコア部の周囲を覆うように形成された光導波路を備えた光配線と比較して、厚さを薄くすることが可能になる。
【００４７】
本発明に係る光配線では、上記光伝送路が、透光性を有する材料から構成されるコア部のみで構成されていることが好ましい。
【００４８】
上記の構成によれば、コア部の周囲を覆うクラッド部が省かれた構成になっているので、光配線の厚さをさらに薄くすることが可能になる。
【００４９】
本発明に係る光配線では、上記機能層が、引張強度が５０ＭＰａ以上であり、かつ、弾性率が６５００ＭＰａ以下または引張強度の８０倍以下の有機材料から構成されており、その厚さが７００μｍ以下であることが好ましい。
【００５０】
上記機能層が有機材料から構成されている場合、引張強度が５０ＭＰａ以下であり、かつ、弾性率が６５００ＭＰａ以下または引張強度の８０倍以下であり、機能層の厚さが７００μｍ以下であれば、機能層は、光伝送路の屈曲に応じた曲げ特性を実現することができる。
【００５１】
本発明に係る光配線では、上記機能層が、引張強度が１００ＭＰａ以上であり、かつ、ヤング率が２００ＧＰａ以下の金属材料から構成されており、その厚さが７０μｍ以下であることが好ましい。
【００５２】
上記機能層が金属材料から構成されている場合、引張強度が１００ＭＰａ以下であり、かつ、ヤング率が２００ＧＰａ以下であり、機能層の厚さが７０μｍ以下であれば、機能層は、光伝送路の屈曲に応じた曲げ特性を実現することができる。
【００５３】
本発明に係る光配線では、上記機能層は、光伝送路表面に存在する構成材料の未反応基をキャップするプライマ材料から構成されていることが好ましい。
【００５４】
これにより、光伝送路表面のタック性が低下し、電子機器内の構造体との接触時に発生する摩擦を低減させることができる。
【００５５】
本発明に係る光配線では、上記機能層が、コーティング材料と揮発溶剤との混合物の固化物から構成されたことが好ましい。
【００５６】
コーティング材料と揮発溶剤との混合物の固化に際し、混合物中の揮発性溶剤が揮発し、複数のコーティング材料の凝集物が光導波路表面に形成される。それゆえ、光導波路表面には、複数のコーティング材料の凝集物が凸部となり、凹凸構造が形成される。したがって、機能層と構造体との接触面積を低減させることが可能になる。このため、機能層と構造体との摩擦をより低減させることができる。
【００５７】
本発明に係る光配線では、上記機能層は、微粒子と、該微粒子を固定する固定樹脂の固化物からなる固定層とを備え、上記微粒子が上記固定層に対して突出していることが好ましい。
【００５８】
上記の構成によれば、上記固定層に対して突出している凸部としての微粒子が球面を有しているので、構造体との接触面積を低減させることが可能になる。このため、機能層と構造体との摩擦をより低減させることができ、構造体に対する滑り性を向上させることができる。
【００５９】
本発明に係る光伝送モジュールは、上記の課題を解決するために、上述の光配線を備えた光伝送モジュールであって、電気信号を光信号に変換する第１の光素子が搭載された第１の基板と、光信号を電気信号に変換する第２の光素子が搭載された第２の基板とを備え、上記光配線は、上記第１及び第２の光素子と光学的に結合して、第１及び第２の基板間で光信号を伝送するようになっていることを特徴としている。
【００６０】
上記の構成によれば、電子機器内の配線への応用に際して要求される可動性を満たし、外部の構造体との接触による折れ・擦れ・磨耗を低減できる光伝送モジュールを実現することができる。
【発明の効果】
【００６１】
本発明に係る光配線は、以上のように、光信号を伝送する光伝送路を備え、電子機器内の構造体との接触時に発生する摩擦を、光伝送路と構造体との接触時よりも低減させ、かつ光伝送路の変形に応じて可撓する機能層が設けられている構成である。
【００６２】
本発明に係る光伝送モジュールは、以上のように、上記の光配線を備えた光伝送モジュールであって、電気信号を光信号に変換する第１の光素子が搭載された第１の基板と、光信号を電気信号に変換する第２の光素子が搭載された第２の基板とを備え、上記光配線は、上記第１及び第２の光素子と光学的に結合して、第１及び第２の基板間で光信号を伝送するようになっている構成である。
【００６３】
それゆえ、電子機器内の配線への応用に際して要求される可動性を満たし、外部の構造体との接触による折れ・擦れ・磨耗を低減できるという効果を奏する。
【発明を実施するための最良の形態】
【００６４】
本発明の一実施形態について図面に基づいて説明すると以下の通りである。
【００６５】
（光伝送モジュールの構成）
図２は、本実施形態に係る光伝送モジュール１の概略構成を示している。同図に示すように、光伝送モジュール１は、光送信処理部２、光受信処理部３、および光配線４を備えている。
【００６６】
光送信処理部２は、発光駆動部５および発光部６を備えた構成となっている。発光駆動部５は、外部から入力された電気信号に基づいて発光部６の発光を駆動する。この発光駆動部５は、例えば発光駆動用のＩＣ（Integrated Circuit）によって構成される。なお、図示はしていないが、発光駆動部５には、外部からの電気信号を伝送する電気配線との電気接続部が設けられている。
【００６７】
発光部６は、発光駆動部５による駆動制御に基づいて発光する。この発光部６は、例えばＶＣＳＥＬ（Vertical Cavity-Surface Emitting Laser）などの発光素子によって構成される。発光部６から発せられた光は、光信号として光配線４の光入射側端部に照射される。
【００６８】
光受信処理部３は、増幅部７および受光部８を備えた構成となっている。受光部８は、光配線４の光出射側端部から出射された光信号としての光を受光し、光電変換によって電気信号を出力する。この受光部８は、例えばＰＤ（Photo-Diode）などの受光素子によって構成される。
【００６９】
増幅部７は、受光部８から出力された電気信号を増幅して外部に出力する。この増幅部７は、例えば増幅用のＩＣによって構成される。なお、図示はしていないが、増幅部７には、外部へ電気信号を伝送する電気配線との電気接続部が設けられている。
【００７０】
光配線４は、発光部６から出射された光を受光部８まで伝送する媒体である。この光配線４の構成の詳細については後述する。
【００７１】
図３は、光配線４における光伝送の状態を模式的に示している。同図に示すように、光配線４は可撓性を有する柱状形状の部材によって構成される。また、光配線４の光入射側端部には光入射面４Ａが設けられているとともに、光出射側端部には光出射面４Ｂが設けられている。
【００７２】
発光部６から出射された光は、光配線４の光入射側端部に対して、光配線４の光伝送方向に対して垂直となる方向から入射される。入射された光は、光入射面４Ａにおいて反射されることによって光配線４内を進行する。光配線４内を進行して光出射側端部に到達した光は、光出射面４Ｂにおいて反射されることによって、光配線４の光伝送方向に対して垂直となる方向へ出射される。出射された光は、受光部８に照射され、受光部８において光電変換が行われる。
【００７３】
このような構成によれば、光配線４に対して、光伝送方向に対して横方向に光源としての発光部６を配置する構成とすることが可能となる。よって、例えば基板面に平行に光配線４を配置することが必要とされる場合に、光配線４と基板面との間に、該基板面の法線方向に光を出射するように発光部６を設置すればよいことになる。このような構成は、例えば発光部６を基板面に平行に光を出射するように設置する構成よりも、実装が容易であり、また、構成としてもよりコンパクトにすることができる。これは、発光部６の一般的な構成が、光を出射する方向のサイズよりも、光を出射する方向と垂直な方向のサイズの方が大きくなっていることによるものである。さらに同一面内に電極と発光部がある平面実装向け発光素子を使用する構成にも適用が可能である。
【００７４】
なお、本実施形態の光伝送モジュール１は、光配線４を伝搬する信号光が光出射面４Ｂにおいて反射されることによって受光部８へ導くような構成（すなわち、光出射面４Ｂを光路を変換する反射面として利用した構成）であったが、光伝送モジュール１の構成は、この構成に限定されるものではなく、光出射面４Ｂから出射した信号光を受光部８で受光可能な構成であればよい。例えば、光配線４は、光出射面４Ｂが反射面として機能せず、光出射面４Ｂから光伝送方向に信号光が出射するような構成であってもよい。この場合、受光部８は、その受光面が基板面に対し垂直な方向（すなわち、光伝送方向に対し垂直な方向）に配され、光出射面４Ｂから光伝送方向に出射した信号光を受光するようになっている。
【００７５】
（光配線の構成）
図１は、光配線４の概略構成を示した側面図である。この光配線４は、電子機器内に搭載可能な光配線である。同図に示すように、光配線４は、光信号を伝送する光伝送路９を備えている。光伝送路９には、潤滑層（機能層）１０が設けられている。潤滑層１０は、電子機器内の構造体１１との接触時に発生する摩擦を、光伝送路９と構造体１１との接触時よりも低減させる機能を有しており、光伝送路９の可動に応じて可撓する（可動する）ようになっている。そして、光伝送路９における構造体１１との対向面９ｃを含む面に設けられている。
【００７６】
図１に示された構成によれば、例えば、電子機器内の光伝送路９が矢印方向に可動したときに、潤滑層１０が構造体１１と接触する。これにより、光伝送路９が構造体１１と接触することが防止される。また、この潤滑層１０は、構造体１１との接触時に発生する摩擦を低減させる。それゆえ、光伝送路９は、電子機器内で構造体１１を滑るように可動する。これにより、光伝送路９は、構造体１１との接触による折れ・擦れ・磨耗が低減され、光学特性の劣化が生じにくくなる。
【００７７】
潤滑層１０は、光伝送路９の可動に応じて可動可能になっているので、光伝送路９の屈曲性・捻回性を維持できる。特に、携帯電話等のモバイル機器内に搭載される場合、光伝送路９はＲ＝４ｍｍ以下レベルの超柔軟性が要求される。そして、これに伴い、潤滑層１０もＲ＝４ｍｍ以下レベルの超柔軟性が要求される。
【００７８】
潤滑層１０は、光伝送路９の屈曲性・捻回性を維持する条件を満たすものであれば、構造・材質が限定されない。潤滑層１０を構成する材料は、有機材料あるいは金属材料であってもよい。
【００７９】
潤滑層１０の膜厚をｄとし、この膜厚中心での屈曲時の歪みを０とすると、直線時における潤滑層１０の中心長さｘ０は、以下の（１）式で表わされる。
ｘ０＝π（Ｒ−ｄ／２）                                                    （１）
ただし、Ｒ；屈曲時における曲げ径
また、屈曲時における潤滑層１０の外周長さｘは、以下の（２）式で表わされる。
ｘ＝πＲ                                                                  （２）
よって、潤滑層１０の屈曲時における外周の伸びΔｘは、以下の（３）式で表わされる。
Δｘ＝ｘ−ｘ０＝πｄ／２                                                  （３）
よって、潤滑層１０の屈曲時における外周の歪みεは、以下の（４）式で表わされる。
ε＝Δｘ／ｘ０＝πｄ／（２πＲ−πｄ）                                    （４）
よって、潤滑層１０の屈曲時に発生する応力δは、以下の（５）式で表わされる。
δ＝εＥ                                                                  （５）
ただし、Ｅは潤滑層１０のヤング率もしくは弾性率
光配線４においては、潤滑層１０の引張強度が、上記（５）式に示される応力δよりも大きい場合、潤滑層１０の曲げ特性がよいといえる。それゆえ、引張強度が低いほど、曲げ特性が悪い傾向にあるといえる。また、ヤング率もしくは弾性率Ｅが高いほど、曲げ特性が低い傾向にあるといえる。
【００８０】
上記の傾向を考慮すると、潤滑層１０を構成する材料が有機材料である場合、例えばＲ＝４ｍｍ以下レベルの超柔軟性を満たすために、引張強度が５０ＭＰａ以上であり、かつ、弾性率が６５００ＭＰａ以下または引張強度の８０倍以下の柔軟材料であることが好ましい。潤滑層１０を構成する材料が有機材料である場合、該材料としては、例えば、ポリイミド（ＰＩ）、ポリエチレンナフタレート（ＰＥＮ）、ポリエチレンテレフタレート（ＰＥＴ）、ポリアミド（ＰＡ）、ポリカーボネート（ＰＣ）等の材料が挙げられる。また、潤滑層１０の厚さは、７００μｍ以下であることが好ましい。
【００８１】
また、潤滑層１０を構成する材料が金属材料である場合、例えばＲ＝４ｍｍ以下レベルの超柔軟性を満たすために、引張強度が１００ＭＰａ以上であり、かつ、ヤング率が２００ＧＰａ以下の材料であることが好ましい。潤滑層１０を構成する材料が金属材料である場合、該材料としては、例えば、金、白金、銀、銅、アルミニウム、燐青銅等の材料が挙げられる。また、潤滑層１０の厚さは、７０μｍ以下であることが好ましい。
【００８２】
また、光伝送路９の構成は、光信号を伝送可能であり、かつ、電子機器内の配線への応用に際して要求される可動性を満たす構成であれば、特に限定されるものではない。例えば、電子機器として携帯電話等のモバイル機器内の配線へ応用した場合、光伝送路９は、Ｒ＝４ｍｍ以下レベルの超柔軟性を満たすことが好ましい。
【００８３】
このような電子機器内の配線への応用に際して要求される可動性を満たす光伝送路９としては、例えばフィルム光導波路が挙げられる。以下、光伝送路としてフィルム光導波路を採用した場合における光伝送路の構成について説明する。図４（ａ）〜（ｃ）は、光伝送路としての光導波路１２の構成の一例を示し、図４（ａ）は側面図であり、図４（ｂ）は断面図であり、図４（ｃ）は斜視図である。なお、図４（ｂ）は、図４（ａ）におけるＡＡ'線断面図である。
【００８４】
図４（ａ）〜（ｃ）に示されるように、光導波路１２は、光伝送方向を軸とする柱状形状の３つのコア部１３と、コア部１３周囲を囲むように設けられたクラッド部１４とを備えた構成となっている。コア部１３およびクラッド部１４は透光性を有する材料によって構成されているとともに、コア部１３の屈折率は、クラッド部１４の屈折率よりも高くなっている。コア部１３それぞれに入射した光信号は、コア部１３内部で全反射を繰り返すことによって光伝送方向に伝送される。
【００８５】
図４（ａ）〜（ｃ）に示されるように、潤滑層１０における構造体との対向部分が平坦な面（平面）１０ａになっている。以下、光伝送方向をｘ方向とし、平面１０ａの法線方向をｙ方向とし、光伝送方向及び法線方向に垂直な方向をｚ方向とする。
【００８６】
コア部１３およびクラッド部１４を構成する材料としては、ガラスやプラスチックなどを用いることが可能であるが、十分な可撓性を有する光導波路１２を構成するためには、曲げ弾性率１０００ＭＰａ以下の柔軟な材料であることが好ましい。そして、光導波路１２を構成する材料は、その前駆体の官能基に水素結合基を含む樹脂であることが好ましい。光導波路１２を構成する材料としては、例えば、アクリル系、エポキシ系、ウレタン系、およびシリコーン系等の樹脂材料が挙げられる。また、クラッド部１４を空気などの気体で構成してもよい。さらに、クラッド部１４をコア部１３よりも屈折率の小さい液体の雰囲気下において使用しても同様の効果が得られる。
【００８７】
図４（ａ）〜（ｃ）に示された構成では、光伝送方向に垂直な面でのコア部１３の断面形状が長方形となっている。しかしながら、コア部１３の断面形状は、長方形に限定されず、円であってもよい。
【００８８】
なお、光導波路１２は、コア部１３が１本設けられた単芯構造であってもよいし、コア部１３が複数本設けられた多芯構造であってもよい。単芯構造の場合、片方向伝送を実現するものであってもよいし、双方向伝送を実現するものであってもよい。多芯構造の場合、全ての芯で同じ方向の信号伝送を行う片方向伝送を実現するものであってもよいし、各芯で信号伝送方向を変えることによって双方向伝送を実現するものであってもよい。
【００８９】
なお、図４（ａ）〜（ｃ）に示された光配線４の製造手順として、例えば、作製用基板上に光伝送路９を所望の形状に成型した後、光伝送路９の上（作製基板と反対側）に潤滑層１０を成型する、または事前に成型した潤滑層１０を貼り付ける。そして、作製用基板を光伝送路９から剥離することにより、本実施形態の光配線４が完成する。
【００９０】
なお、光伝送路９の作製方法としては、例えば、直接露光法、直接描画法、ＲＩＥ法、スピンコート法、フォトブリーチング法、複製法、金型射出成形法、紡糸成形法等が好ましい。また、潤滑層１０の作製方法として、光伝送路９の上に潤滑層１０を成型する場合、直接露光法、直接描画法、ＲＩＥ法、スピンコート法、複製法等の一般的な光導波路の作製方法や蒸着法、スプレーコート法等の薄膜作製方法を採用することができる。さらに、事前に成型した潤滑層１０を貼り付ける場合、金型射出成形法、延伸法、インフレーション法、Ｔダイ法、カレンダー法等のフィルム作製方法を採用することができる。
【００９１】
別の光配線４の製造手順として、潤滑層１０を作製した後、潤滑層１０の上に光伝送路９を所望の形状に成型する、または事前に成型した光伝送路９を貼り付ける手順を採用することができる。
【００９２】
上記の製造手順の場合、潤滑層１０を作製する方法は、金型射出成形法、延伸法、インフレーション法、Ｔダイ法、カレンダー法等のフィルム作製方法を採用することができる。また、光伝送路９の作製方法は、特に、直接露光法、直接描画法、ＲＩＥ法、スピンコート法、フォトブリーチング法、複製法、金型射出成形法、紡糸成形法等が好ましい。これらの方法は、潤滑層１０上に光伝送路９を作製可能な方法である。
【００９３】
また、さらに別の光配線４の製造手順として、光伝送路９を所望の形状に成型した後、光伝送路９を基板として潤滑層１０を成型する、または事前に成型した潤滑層１０を貼り付ける手順を採用することができる。
【００９４】
一般的に、モバイル機器等の電子機器に搭載される光配線は、省スペース化の観点から、光伝送性能と屈曲・捻回性能と耐磨耗・接触性能（電子機器内の構造体との接触）とが要求される。光伝送性能は、光信号を伝送する性能であり、高速光信号伝送のために必要な性能である。屈曲・捻回性能は、光配線の曲げ・捻り・繰り返し屈曲・繰り返し捻回特性であり、小さい空間内に光配線を搭載する（省スペース化）ために必要な性能である。また、耐磨耗・接触性能は、接触による変形しにくさ（折れにくさ）、構造体との摩擦の受けにくさ（擦れにくさ）、磨耗しにくさを示す性能であり、小さい空間内で構造体との接触に影響しないようにするために必要な性能である。
【００９５】
従来の光伝送路においては、光伝送性能、屈曲・捻回性能、及び耐磨耗・接触性能の３つの性能を両立させる材料の選択が困難であった。すなわち、光伝送路の材料として、光伝送性能及び屈曲・捻回性能を向上させる材料を選択しても、この材料が耐磨耗・接触性能を向上させるとは限らなかった。換言すれば、光伝送路の材料選択において、１つの材料で屈曲・捻回性能及び耐磨耗・接触性能を両立させることが困難であった。
【００９６】
本実施形態の光配線４は、耐磨耗・接触性能を担う部材として、別途潤滑層１０が設けられた構成であるといえる。潤滑層１０は、光伝送性能、屈曲・捻回性能、及び耐磨耗・接触性能のうち耐磨耗・接触性能を担っているので、光伝送路の材料を選択するに際し、光伝送性能及び屈曲・捻回性能を担う材料を選択すればよい。それゆえ、本実施形態の光配線４においては、従来よりも構成材料の選択の幅が広がるという利点がある。
【００９７】
（変形例１−１）
本実施形態の光配線の構成において、図４に示す構成の変形例について説明する。図５（ａ）（ｂ）は、この変形例１−１としての光配線４の構成の一例を示し、図５（ａ）は断面図であり、図５（ｂ）は平面図である。なお、図５（ａ）は、図５（ｂ）におけるＢＢ'線断面図である。
【００９８】
同図に示されるように、光配線４では、潤滑層１０は、凹部１０ｂと凸部１０ｃとが交互に形成された凹凸構造になっている。この凹凸構造は、潤滑層１０における構造体との対向部分に形成されている。そして、凹部１０ｂ及び凸部１０ｃは、光導波路１２の光伝送方向と平行になるように形成されている。
【００９９】
潤滑層１０に凹凸構造が形成されていることにより、潤滑層１０は、光導波路１２の可動性（変形）に応じた可撓性が向上する。その結果、電子機器内の配線への応用に際して要求される可動性を満たす光配線を実現することができる。特に、この変形例のように、凹部１０ｂ及び凸部１０ｃが光導波路１２の光伝送方向と平行になるように形成されている構成では、潤滑層１０は、光導波路１２の捻回に応じた可撓性が向上する。
【０１００】
また、変形例１−１の光配線では、凹凸構造は、潤滑層１０における構造体との対向部分に形成されている。それゆえ、潤滑層１０における構造体との対向部分が平坦な面（平面）１０ａになっている図４（ａ）〜（ｃ）の構成と比較して、潤滑層１０と構造体との接触面積を低減させることが可能になる。このため、潤滑層１０と構造体との摩擦をより低減させることができる。
【０１０１】
また、図５（ａ）・（ｂ）に示された構成では、凸部１０ｃは、光導波路１２のコア部１３を避けるように形成されていた。しかしながら、図６に示されるように、凸部１０ｃは、光導波路１２のコア部１３と重なるように形成されていてもよい。
【０１０２】
凸部１０ｃが、光伝送方向に延びるコア部１３と重なるように形成されているので、凸部１０ｃが光伝送方向に延びるコア部１３と重ならない構成と比較して、光導波路１２が捻回したとき、クラッド部１４にかかる応力がコア部１３に集中しにくくなるという効果を奏する。さらに、コア部１３からの漏れ光が、凸部１０ｃで複数回反射し、光伝送路９外部へ抜けやすくなる。この結果、信号伝送のＳ／Ｎ比が向上するという効果がある。
【０１０３】
（変形例１−２）
本実施形態の光配線の構成において、変形例１−１の構成のさらに他の変形例について説明する。図７（ａ）・（ｂ）は、この変形例１−２としての光配線４の構成の一例を示し、図７（ａ）は側面図であり、図７（ｂ）は平面図である。
【０１０４】
変形例１−１の構成では、凹部１０ｂ及び凸部１０ｃが、光導波路１２の光伝送方向と平行になるように形成されていた。これに対し、変形例１−２としての光配線４では、凹部１０ｂ及び凸部１０ｃが光導波路１２の光伝送方向と平行になるように形成されている。これにより、潤滑層１０は、光導波路１２の屈曲に応じた可撓性が向上する。
【０１０５】
（変形例１−３）
本実施形態の光配線の構成において、上記変形例の構成のさらに他の変形例について説明する。図８は、この変形例１−３としての光配線４の構成の一例を示す平面図である。
【０１０６】
上記変形例の構成では、凹部１０ｂ及び凸部１０ｃが、光導波路１２の光伝送方向と平行または垂直になるように形成されていた。これに対し、変形例１−３としての光配線４では、凹部１０ｂ及び凸部１０ｃが光導波路１２の光伝送方向に対し傾斜するように形成されている。これにより、特に、潤滑層１０は、光導波路１２の屈曲に応じた可撓性が向上する。
【０１０７】
（変形例１−４）
本実施形態の光配線の構成において、上記変形例の構成のさらに他の変形例について説明する。図９は、この変形例１−４としての光配線４の構成の一例を示す平面図である。
【０１０８】
変形例１−３としての光配線４では、凹部１０ｂが光導波路１２の光伝送方向に対し平行かつ垂直になるように形成されている。そして、凹部１０ｂと凸部１０ｃとで格子形状を形成している。これにより、潤滑層１０は、光導波路１２の捻回及び屈曲に応じた可撓性が向上する。
【０１０９】
変形例１−１〜１−４の光配線の製造手順としては、例えば、凹凸構造を有する金型に、潤滑層１０を構成する材料を充填し硬化した後、潤滑層１０を構成する材料の硬化物の上に光導波路１２を作製する、または別工程で作製した光導波路１２を貼り付ける。そして、金型を剥離することで、変形例１−１〜１−４の光配線が完成する。別工程で作製した光導波路は、作製用基板上に成型された光導波路であってもよい。この場合、作製用基板上に成型された光導波路を、潤滑層１０を構成する材料の硬化物の上に貼り付けた後、作製用基板及び金型を剥離することで、変形例１−１〜１−４の光配線が完成する。
【０１１０】
また、別の製造手順として、まず、上記図４（ａ）〜（ｃ）に示された光配線４の製造手順で光配線を作製した後、潤滑層１０を凹凸状にカッティングする手順を採用することができる。
【０１１１】
さらに別の製造手順として、まず、事前に作製された光導波路１２に、潤滑層１０の材料として感光性樹脂を塗布する。そして、感光性樹脂に凹凸構造が形成されるように感光させた後、現像することで、変形例１−１〜１−４の光配線が完成する。
【０１１２】
また、さらに別の製造手順として、まず、事前に作製された光導波路１２に、潤滑層１０の材料として熱可塑性樹脂を塗布する。その後、熱可塑性樹脂に凹凸構造を有する金型を押し付け、熱転写させる。そして、凹凸構造を有する金型を剥離することで、変形例１−１〜１−４の光配線が完成する。
【０１１３】
また、さらに別の製造手順として、まず、事前に作製された光導波路１２に、潤滑層１０の材料として熱硬化性樹脂または感光性樹脂を塗布する。その後、熱硬化性樹脂または感光性樹脂に凹凸構造を有する金型を押し付け転写し、熱硬化させる。そして、凹凸構造を有する金型を剥離することで、変形例１−１〜１−４の光配線が完成する。
【０１１４】
また、さらに別の製造手順として、まず、ダミー基板上に潤滑層１０の材料を塗布後、凹凸構造を形成する。その後、潤滑層１０の凹凸構造を保持できるように、保持基板を成型する。このとき、成型により得られた保持基板の凹凸構造と潤滑層１０の凹凸構造とが嵌め合う関係になっている。すなわち、保持基板は、潤滑層１０を、凹凸構造側から保持するようになっている。そして、ダミー基板を剥離した後、潤滑層１０の保持基板と反対側の面に光導波路１２を作製する、または別工程で作製した光導波路１２を貼り付ける。そして、金型を剥離することで、変形例１−１〜１−４の光配線が完成する。そして、保持基板を剥離することで、変形例１−１〜１−４の光配線が完成する。
【０１１５】
また、さらに別の製造手順として、事前に金型射出成形法、延伸法、インフレーション法、Ｔダイ法、カレンダー法等のフィルム作製方法で凹凸構造を形成した潤滑層１０を準備し、この潤滑層１０に光導波路１２を作製する、または別工程で作製した光導波路１２を貼り付ける手順を採用することができる。
【０１１６】
（変形例１−５）
本実施形態の光配線の構成において、上記変形例の構成のさらに他の変形例について説明する。図１０（ａ）・（ｂ）は、この変形例１−５としての光配線４の構成の一例を示し、図１０（ａ）は平面図であり、図１０（ｂ）はＣＣ'線断面図である。
【０１１７】
上記変形例では、この凹凸構造が潤滑層１０における構造体との対向部分に形成されていた。これに対し、変形例１−５の光配線４では、凹凸構造が光導波路１２における潤滑層１０と反対側の部分に形成されている。
【０１１８】
図１０（ａ）・（ｂ）に示されるように、光導波路１２は、コア部１３と、コア部１３を取り囲むクラッド部１４とを備えている。そして、光導波路１２における潤滑層１０と反対側の部分は、凹部１２ａと凸部１２ｂとが交互に形成された凹凸構造になっている。凹部１２ａを形成する側壁は、クラッド部１４を構成する材料からなっている。すなわち、凹部１２ａは、クラッド部１４を構成する材料のみで構成されている。一方、凸部１２ｂは、クラッド部１４を構成する材料とコア部１３を構成する材料とからなっており（つまり、凸部１２ｂはコア部１４を構成する材料を含む）、クラッド部１４がコア部１３を取り囲む構成になっている。換言すれば、変形例１−５の光配線４における光導波路１２は、潤滑層１０と反対側の部分において、凹部１２ａがコア部１３を避けるように形成された構成である。
【０１１９】
このような構成であっても、光導波路１２自体の可動性が向上する。その結果、電子機器内の配線への応用に際して要求される可動性を満たす光配線を実現することができる。
【０１２０】
上記変形例１−１〜１−５に示した構成では、潤滑層１０は、電子機器内の構造体との接触時に発生する摩擦を、光導波路１２と構造体との接触時よりも低減させるとともに、その表面が凹凸構造になっている。このため、変形例１−１〜１−５に示した構成を採用した場合、光配線４は、構造体との接触面積が低減し、構造体との滑りが発生することで、光導波路１２の屈曲性を阻害しないという効果に加え、以下の効果を奏する。
【０１２１】
すなわち、光導波路１２の屈曲時に発生するコア部１３からの漏れ光をクラッド部１４外部の空気へ逃がすため、ノイズの発生を抑え、Ｓ／Ｎ比の低下を防ぐことができる。
【０１２２】
さらに、上記凹凸構造を、光導波路１２の屈曲・捻回方向に合わせて、潤滑層１０内での応力が弱まるように構成することで、図４に示された潤滑層１０としての平坦層が設けられた構成と比較して、大幅に潤滑層１０の可撓性（フレキシブル性）が向上するという利点がある。
【０１２３】
（変形例２）
本実施形態の光配線の構成において、図４に示す構成のさらに他の変形例について説明する。図１１は、この変形例２としての光配線４の構成の一例を示す断面図である。
【０１２４】
図４（ａ）〜（ｃ）に示された構成では、光導波路１２は、光伝送方向を軸とする柱状形状の３つのコア部１３と、コア部１３周囲を囲むように設けられたクラッド部１４とを備えた構成となっていた。そして、コア部１３は、潤滑層１０と直接接することがなく、クラッド部１４が潤滑層１０と接する構成であった。
【０１２５】
これに対し、変形例２の光配線４は、コア部１３が潤滑層１０と直接接する構成になっている。また、潤滑層１０における光導波路１２側の面が平坦な面（平面）になっている。そして、コア部１３における潤滑層１０との接面１３ａは、クラッド部１４における潤滑層１０との接面１４ａと同一平面になっている。
【０１２６】
変形例２−１の光配線４は、コア部１３に対し潤滑層１０側に形成されたクラッド部１４が省かれた構成になっている。それゆえ、図４（ａ）〜（ｃ）に示された光配線４と比較して、ｙ方向（法線方向）の厚さを薄くすることが可能になる。
【０１２７】
また、ｙ方向の厚さを薄くするために、光配線４は、例えば図１２に示されるように、コア部１３及びクラッド部１４における潤滑層１０と反対側の面１３ｂ・１４ｂが、同一平面になっている構成になっていてもよい。
【０１２８】
（変形例３）
本実施形態の光配線の構成において、図４に示す構成のさらに他の変形例について説明する。図１３（ａ）・（ｂ）は、この変形例３としての光配線４の構成の一例を示し、図１３（ａ）は平面図であり、図１３（ｂ）はＣＣ'線断面図である。
【０１２９】
図４（ａ）〜（ｃ）に示された構成では、潤滑層１０における構造体との対向部分が平坦な面（平面）１０ａになった構成であった。これに対し、変形例３の光配線４では、潤滑層１０に格子状のスリット１０ｄが形成されている。このような構成であっても、潤滑層１０は、光導波路１２の捻回及び屈曲に応じた可撓性が向上する。
【０１３０】
（変形例４）
本実施形態の光配線の構成において、図４に示す構成のさらに他の変形例について説明する。図１４は、この変形例４としての光配線４の構成の一例を示す断面図である。
【０１３１】
図４（ａ）〜（ｃ）に示された構成では、潤滑層１０における光導波路１２との接面が平坦な面（平面）になった構成であった。これに対し、変形例４の光配線４は、潤滑層１０における光導波路１２側の部分が、凹部１０ｅと凸部１０ｆとが交互に形成された凹凸構造になっている。そして、コア部１３は、凹部１０ｅに収まるように形成されている。
【０１３２】
変形例４の光配線４は、コア部１３に対し潤滑層１０側に形成されたクラッド部１４が省かれた構成になっている。それゆえ、図４（ａ）〜（ｃ）に示された光配線４と比較して、ｙ方向（法線方向）の厚さを薄くすることが可能になる。
【０１３３】
（変形例５）
本実施形態の光配線の構成において、図４に示す構成のさらに他の変形例について説明する。図１５は、変形例５としての光配線４の構成の一例を示す断面図である。
【０１３４】
図４（ａ）〜（ｃ）に示された構成では、光伝送方向を軸とする柱状形状の３つのコア部１３と、コア部１３周囲を囲むように設けられたクラッド部１４とを備えた構成となっていた。これに対し、変形例５の光配線４は、光伝送路が柱状形状の３つのコア部１３のみで構成されている。すなわち、変形例５の光配線４は、柱状形状の３つコア部がただ１つの潤滑層１０に設けられた構成になっている。
【０１３５】
（変形例６）
本実施形態の光配線の構成において、図４に示す構成のさらに他の変形例について説明する。図１６は、この変形例６としての光配線４の構成の一例を示す断面図である。
【０１３６】
図４（ａ）〜（ｃ）に示された構成では、潤滑層１０を構成する材料が、有機材料あるいは金属材料であった。これに対し、変形例６の光配線４は、潤滑層が、光導波路１２表面に存在する構成材料（すなわち、クラッド部１４を構成する材料）の未反応基をキャップするプライマ材料から構成されたプライマ層１０'になっている。
【０１３７】
光導波路１２は、上述のように樹脂材料で構成されているので、その表面がタック性（粘着性）を有している。このタック性により、光導波路１２は、電子機器内の構造体と接触すると、折れ・擦れ・磨耗が発生する。また、このタック性は、光導波路１２表面に残存する未反応基が原因になっている。
【０１３８】
変形例６の光配線４では、プライマ層１０'が光導波路１２表面に存在する上記未反応基をキャップする。それゆえ、光導波路１２表面のタック性が低下し、電子機器内の構造体との接触時に発生する摩擦を低減させることができる。
【０１３９】
また、プライマ層１０'は、光導波路１２における構造体との対向面に形成されていてもよいし、光導波路１２における構造体と反対側の面に形成されていてもよい。さらに、プライマ層１０'は、上記対向面及び上記反対側の面の両面に形成されていてもよい。
【０１４０】
また、プライマ層１０'を構成するプライマ材料は、タック性の元となる光導波路１２表面の未反応基と反応する材料であれば特に限定されないが、例えば、シランカップリング剤、フッ素カップリング剤、またはフッ素化物が挙げられる。
【０１４１】
なお、変形例６の光配線４の製造手順として、例えば、溶剤中でプライマ材料が溶解したプライマ溶液を、事前に作製した光導波路１２にスピンコートまたはスプレーコートする。その後、プライマ溶液を乾燥することで、変形例６の光配線４が完成する。
【０１４２】
また、別の製造手順として、まず、プライマ溶液を基板に塗布後、この基板を事前に作製した光導波路１２に載置する。このとき、基板におけるプライマ溶液塗布面が光導波路１２と向かい合うように載置し、プライマ溶液を光導波路１２に転写する。その後、プライマ溶液を乾燥することで、変形例６の光配線４が完成する。
【０１４３】
また、さらに別の製造手順として、まず、底部に微細孔が形成された容器にプライマ溶液を入れ、該微細孔から漏れ出たプライマー溶液を、事前に作製した光導波路１２に載置する。その後、プライマ溶液を乾燥することで、変形例６の光配線４が完成する。
【０１４４】
また、さらに別の製造手順として、プライマ溶液中に事前に作製した光導波路１２を浸漬した後、光導波路１２を取り出し乾燥する手順を採用することができる。
【０１４５】
（変形例７）
本実施形態の光配線の構成において、図４に示す構成のさらに他の変形例について説明する。図１７は、この変形例７としての光配線４の構成の一例を示し、図１７（ａ）は平面図であり、図１７（ｂ）は断面図である。
【０１４６】
図４（ａ）〜（ｃ）に示された構成では、潤滑層１０を構成する材料が、有機材料あるいは金属材料であった。これに対し、変形例７の光配線４は、潤滑層が、コーティング材料と揮発溶剤との混合物の固化物から構成されたコーティング層１０''になっている。
【０１４７】
変形例７の光配線４の製造手順として、例えば、コーティング材料を揮発性溶剤で溶解したコーティング溶液を、事前に作製した光導波路１２にスピンコート、スプレーコートスクリーン印刷、フレキソ印刷、またはバーコートする。その後、上記の混合物を乾燥することで、変形例７の光配線４が完成する。
【０１４８】
コーティング材料と揮発性溶剤との混合物を乾燥したとき、混合物中の揮発性溶剤が揮発し、複数のコーティング材料の凝集物１０''ａが光導波路１２表面に形成される。変形例７の光配線４では、複数の凝集物１０''ａが凸部となり、凹凸構造が形成される。それゆえ、コーティング層１０''と構造体との接触面積を低減させることが可能になる。このため、コーティング層１０''と構造体との摩擦をより低減させることができる。
【０１４９】
また、コーティング層１０''における凹凸構造では、複数の凝集物１０''ａが凸部なり、凹部は揮発性溶剤の揮発により形成される。つまり、凹部の底面は、実質的に光導波路１２表面と同じなる。それゆえ、変形例７では、光配線４の厚さを小さくすることができ、光導波路１２の屈曲性を阻害することなく、光配線４の構造体に対する滑り性を向上させることができる。
【０１５０】
また、コーティング層１０''を構成する材料に含まれる上記コーティング材料としては、例えば、アミノ系シランカップリング剤が挙げられる。特に、アミノ系シランカップリング剤にフッ素系コーティング材を混合すると、コーティング材料の滑り効果が増す。また、上記の揮発性溶剤は、揮発性を有しているものであれば特に限定されない。例えばＩＰＡ（イソプロピルアルコール）が挙げられる。
【０１５１】
また、変形例７では、光導波路１２の表面を構成する材料（例えば、クラッド部を構成する材料）の撥水性が高ければ高いほど、コーティング層１０''の凹凸構造が顕著になる（凹凸構造における高低差が大きくなる）。その一方で、光導波路１２の表面を構成する材料の親水性が高ければ高いほど、コーティング層１０''の凹凸構造における高低差が小さくなる。それゆえ、コーティング材料と揮発性溶剤との混合物をコートする対象を、親水性材料から構成されたコア部とすることで、コーティング層１０''自体をクラッド部とすることができる。そして、このとき、コア部の親水性に応じた高低差を有する凹凸構造が、クラッド部としてのコーティング層１０''に形成されることになる。
【０１５２】
（変形例８）
本実施形態の光配線の構成において、図４に示す構成のさらに他の変形例について説明する。図１８は、この変形例８としての光配線４の構成の一例を示し、図１８（ａ）は断面図であり、図１８（ｂ）は光配線４の一部を拡大した断面図である。
【０１５３】
図１８（ａ）及び（ｂ）に示されるように、変形例８の光配線４における潤滑層は、滑り性を有する微粒子１０'''ａと、微粒子１０'''ａを固定する柔軟樹脂１０'''ｂの固化物からなる固定層とを備え、微粒子１０'''ａが固定層に対して突出したコンポジット層１０'''になっている。コンポジット層１０'''では、固定層に対して突出した微粒子１０'''ａにより凹凸構造が形成されている。
【０１５４】
変形例８の光配線４の製造手順として、例えば、溶剤に柔軟樹脂１０'''ｂを溶解した樹脂溶液を準備し、この樹脂溶液に微粒子１０'''ａを混合した微粒子混合液を調整しておく。そして、この微粒子混合液を、事前に作製した光導波路１２にスピンコート、スプレーコート、またはバーコートする。その後、微粒子混合液を乾燥することで、変形例８の光配線４が完成する。
【０１５５】
微粒子混合液を乾燥させると、溶剤の蒸発に伴い、微粒子混合液中の柔軟樹脂１０'''ｂが固化し固定層となり、微粒子１０'''ａが固定層に対して突出する。図１８（ｂ）に示されるように、微粒子１０'''ａ間には、柔軟樹脂１０'''ｂの固化物により凹部が形成されている。柔軟樹脂１０'''ｂの固化物は、スピンコート、スプレーコート、またはバーコートといった方法で形成されるので、凹部の膜厚を薄くすることができ、光導波路１２の屈曲性を阻害しない。なお、コンポジット層１０'''においては、固定層に対し突出した微粒子１０'''ａと上記凹部とにより凹凸構造が形成される。
【０１５６】
変形例８の光配線４において、コンポジット層１０'''は、凸部としての微粒子１０'''ａが球面を有しているので、構造体との接触面積を低減させることが可能になる。このため、コンポジット層１０'''と構造体との摩擦をより低減させることができ、構造体に対する滑り性を向上させることができる。
【０１５７】
なお、微粒子１０'''ａの粒径は、大きければ大きいほど、構造体に対する摩擦が低減する効果が高くなる。本願発明者は、微粒子１０'''ａの粒径を変えて、構造体に対する摩擦を検討した結果、微粒子１０'''ａの粒径は、大きければ大きいほど、構造体に対する摩擦が低減する効果が高くなるが、粒径が４５０ｎｍ以上になると微粒子１０'''ａ間の凹部としての柔軟樹脂１０'''ｂの固化物にクラックが発生することが判明した。それゆえ、微粒子１０'''ａの粒径は、４５０ｎｍよりも小さいことが好ましい。
【０１５８】
微粒子１０'''ａの材料は、構造体に対し滑り性を有する材料であれば、特に限定されないが、例えば、湿式シリカ、乾式シリカ、アルミナ、銅（Ｃｕ）、銀（Ａｇ）、または金（Ａｕ）が挙げられる。微粒子１０'''ａとして、銅（Ｃｕ）、銀（Ａｇ）、または金（Ａｕ）から構成される金属ナノ粒子を用いてもよい。
【０１５９】
また、柔軟樹脂１０'''ｂとしては、例えば、水溶性ウレタン樹脂、シリコーン、フッ素系樹脂、シランカップリング剤、またはエポキシ樹脂が挙げられる。
【０１６０】
なお、上記の微粒子混合液をコートする対象をコア部とすることで、コンポジット層１０'''自体をクラッド部とすることができる。
【０１６１】
（変形例９）
本実施形態の光配線の構成において、図４に示す構成のさらに他の変形例について説明する。図１９は、この変形例９としての光配線４の構成の一例を示す側面図である。
【０１６２】
変形例７は、潤滑層１０が金属材料からなる場合における変形例である。光導波路１２における端面は光伝送方向（ｘ方向）に対して垂直とならず、斜めに切断されて光路変換ミラー面１２ｄが形成されている。変形例９の光配線４は、光導波路１２の光路変換ミラー面１２ｄに金属材料で構成された潤滑層１０が設けられた構成になっている。
【０１６３】
潤滑層１０は金属材料からなっているので、光路変換ミラー面１２ｃに設けられた潤滑層を金属ミラーとして利用することが可能になる。それゆえ、変形例７の光配線４は、その端面で、効率的にコア部１３を伝送する光の光路を変換することができる。
【０１６４】
（応用例）
本実施形態の光配線４は、例えば以下のような応用例に適用することが可能である。
【０１６５】
まず、第一の応用例として、折り畳み式携帯電話，折り畳み式ＰＨＳ（Personal Handyphone System），折り畳み式ＰＤＡ（Personal Digital Assistant），折り畳み式ノートパソコン等の折り畳み式の電子機器におけるヒンジ部に用いることができる。
【０１６６】
図２０（ａ）〜図２０（ｃ）は、光配線４を折り畳み式携帯電話４０に適用した例を示している。すなわち、図２０（ａ）は光配線４を内蔵した折り畳み式携帯電話４０の外観を示す斜視図である。
【０１６７】
図２０（ｂ）は、図２０（ａ）に示した折り畳み式携帯電話４０における、光配線４が適用されている部分のブロック図である。この図に示すように、折り畳み式携帯電話４０における本体４０ａ側に設けられた制御部４１と、本体の一端にヒンジ部を軸として回転可能に備えられる蓋（駆動部）４０ｂ側に設けられた外部メモリ４２，カメラ部（デジタルカメラ）４３，表示部（液晶ディスプレイ表示）４４とが、それぞれ光配線４によって接続されている。
【０１６８】
図２０（ｃ）は、図２０（ａ）におけるヒンジ部（破線で囲んだ部分）の透視平面図である。この図に示すように、光配線４は、ヒンジ部における支持棒に巻きつけて屈曲させることによって、本体側に設けられた制御部と、蓋側に設けられた外部メモリ４２，カメラ部４３，表示部４４とをそれぞれ接続している。
【０１６９】
光配線４を、これらの折り畳み式電子機器に適用することにより、限られた空間で高速、大容量の通信を実現できる。したがって、例えば、折り畳み式液晶表示装置などの、高速、大容量のデータ通信が必要であって、小型化が求められる機器に特に好適である。
【０１７０】
第２の応用例として、光配線４は、印刷装置（電子機器）におけるプリンタヘッドやハードディスク記録再生装置における読み取り部など、駆動部を有する装置に適用できる。
【０１７１】
図２１（ａ）〜図２１（ｃ）は、光配線４を印刷装置５０に適用した例を示している。図２１（ａ）は、印刷装置５０の外観を示す斜視図である。この図に示すように、印刷装置５０は、用紙５２の幅方向に移動しながら用紙５２に対して印刷を行うプリンタヘッド５１を備えており、このプリンタヘッド５１に光配線４の一端が接続されている。
【０１７２】
図２１（ｂ）は、印刷装置５０における、光配線４が適用されている部分のブロック図である。この図に示すように、光配線４の一端部はプリンタヘッド５１に接続されており、他端部は印刷装置５０における本体側基板に接続されている。なお、この本体側基板には、印刷装置５０の各部の動作を制御する制御手段などが備えられる。
【０１７３】
図２１（ｃ）および図２１（ｄ）は、印刷装置５０においてプリンタヘッド５１が移動（駆動）した場合の、光配線４の湾曲状態を示す斜視図である。この図に示すように、光配線４をプリンタヘッド５１のような駆動部に適用する場合、プリンタヘッド５１の駆動によって光配線４の湾曲状態が変化するとともに、光配線４の各位置が繰り返し湾曲される。
【０１７４】
したがって、本実施形態にかかる光配線４は、これらの駆動部に好適である。また、光配線４をこれらの駆動部に適用することにより、駆動部を用いた高速、大容量通信を実現できる。
【０１７５】
図２２は、光配線４をハードディスク記録再生装置６０に適用した例を示している。
【０１７６】
この図に示すように、ハードディスク記録再生装置６０は、ディスク（ハードディスク）６１、ヘッド（読み取り、書き込み用ヘッド）６２、基板導入部６３、駆動部（駆動モータ）６４、光配線４を備えている。
【０１７７】
駆動部６４は、ヘッド６２をディスク６１の半径方向に沿って駆動させるものである。ヘッド６２は、ディスク６１上に記録された情報を読み取り、また、ディスク６１上に情報を書き込むものである。なお、ヘッド６２は、光配線４を介して基板導入部６３に接続されており、ディスク６１から読み取った情報を光信号として基板導入部６３に伝搬させ、また、基板導入部６３から伝搬された、ディスク６１に書き込む情報の光信号を受け取る。
【０１７８】
このように、光配線４をハードディスク記録再生装置６０におけるヘッド６２のような駆動部に適用することにより、高速、大容量通信を実現できる。
【０１７９】
（実用例）
ここで、本実施形態の光配線４を電子機器としての折り畳み式携帯電話４０に適用した場合の実用例について説明する。図２３は、折り畳み式携帯電話４０における、本実施形態の光配線４の適用箇所を示す模式図である。
【０１８０】
図２３に示されるように、光配線４は、ヒンジ部における支持棒に巻きつけて屈曲した状態で搭載される。このため、本実施形態の光配線４は、電子機器内の構造体としてのヒンジ部との接触箇所で効力を発揮する。
【０１８１】
また、折り畳み式携帯電話４０内での信号伝送において、従来の電気配線による伝送と、光配線による伝送とを共存させた電気−光伝送一体型モジュール（以下、一体型モジュールと記す）が提案されている。一体型モジュールは、電気配線と光配線とが１つのユニットとして可動（変形）するモジュールである。そして、信号の伝送方向は、双方向、単方向、またはその組み合わせであってもよい。図２４は、一体型モジュールの概略構成を示す斜視図である。
【０１８２】
図２４に示されるように、一体型モジュールは、光配線４と、電気配線１５と、実装外郭１６と、基板１７と、パッケージ１８とを備えている。光配線４及び電気配線１５は、互いに対向しかつ平行になるように配置されている。実装外郭１６は、電気配線１５を伝送する電気信号を受信または送信する電気素子と、光配線４を伝送する光信号を受信または送信する光素子とを実装する部材である。実装外郭１６は、基板１７に設けられたパッケージ１８に収容されるようになっている。
【０１８３】
また、上記の一体型モジュールは、例えば、図２５（ａ）・（ｂ）に示された構成であってもよい。図２５（ａ）は、一体型モジュールの他の構成例を示す機能図である。
【０１８４】
図２５（ａ）に示された一体型モジュールは、電気配線としてフレキシブルプリント配線基板が用いられた構成になっている。同図に示されるように、一体型モジュール１’は、発光側モジュール部２１と、受光側モジュール部３１と、光配線４と、電気配線としてのフレキシブルプリント配線基板（ＦＰＣ）１５’とを備えている。
【０１８５】
発光側モジュール部２１は、図２に示された光送信処理部２を備え、外部から入力された電気信号を光信号としての光に変換し、光配線４の光入射側端部へ照射するようになっている。また、受光側モジュール部３１は、図２に示された光受信処理部３を備え、光配線４の光出射側端部から出射された光信号としての光を受光し、光電変換によって電気信号を出力するようになっている。
【０１８６】
一体型モジュール１’において、外部から発光側モジュール部３１へ入力される電気信号のうち、比較的高速な電気信号は、光送信処理部２により光信号に変換され、光配線４を介して伝送する。一方、比較的低速な電気信号（例えば電源または接地電極（ＧＮＤ）からの電気信号）は、フレキシブルプリント配線基板１５’を介して伝送される。このような構成とすることにより、電気配線との共存、及び低コスト化が可能な一体型モジュールを実現することができる。
【０１８７】
図２５（ｂ）は、図２５（ａ）に示された一体型モジュールの構成の一例を示した側面図である。図２５（ｂ）に示された一体型モジュール１’では、フレキシブルプリント配線基板１５’上に、発光側モジュール部２１及び受光側モジュール部３１が載置されている。そして、光配線４は、フレキシブルプリント配線基板１５’の基板面に平行になるように配されている。
【０１８８】
図２５（ｂ）に示された構成では、フレキシブルプリント配線基板１５’を介して伝送された比較的高速な電気信号は、受光側モジュール部３１にて光信号に変換され、光配線４を介して発光側モジュール部２１へ伝送されるようになっている。
【０１８９】
上述の一体型モジュールにおいて、本実施形態の光配線４は、電気配線１５との接触箇所で効力を発揮する。図２６（ａ）〜（ｃ）は、一体型モジュールにおける光配線４の可動（変形）例を模式的に示した図である。図２６（ａ）は、光配線４及び電気配線１５が共に屈曲したときの可動例を示す側面図であり、図２６（ｂ）は、電気配線１５が捩れたときの光配線４の可動例を示す断面図であり、図２６（ｃ）は、電気配線１５がスライドしたときの光配線４の可動例を示す側面図である。
【０１９０】
図２６（ａ）〜（ｃ）に示されるように、何れの光配線４の可動例においても、光配線４と電気配線１５との接触が起こっている。本実施形態の光配線４は、このような接触箇所で効力を発揮する。
【０１９１】
図２４〜図２６（ａ）〜（ｃ）に示された一体型モジュールに本実施形態の光配線４を搭載した場合における、潤滑層について説明する。潤滑層は、光伝送路９と電気配線１５とが１つのユニットとして可動（変形）したときに、光伝送路９の屈曲性を阻害しない構成であればよく、例えば上記変形例に示された構成が挙げられる。
【０１９２】
また、潤滑層は、光伝送路のラミネート加工または作製に使用される基板であってもよい。また、潤滑層を構成する材料は、光伝送路表面のタック性を低減させる材料であることが好ましい。潤滑層を構成する材料としては、例えば、ポリエチレンテレフタレート（ＰＥＴ）、粉末、ポリイミド、金属材料、プライマ材料、水蒸気処理材料等が挙げられる。また、潤滑層を構成する材料が粉末である場合、該粉末として、小麦粉、ベビーパウダ等が挙げられる。
【０１９３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１９４】
本発明は、各種機器間の光通信路にも適用可能であるとともに、小型、薄型の民生機器内に搭載される機器内配線として適用可能である。
【図面の簡単な説明】
【０１９５】
【図１】本発明の一実施形態に係る光配線の概略構成を示す側面図である。
【図２】本実施形態に係る光伝送モジュールの概略構成を示す図である。
【図３】光配線における光伝送の状態を模式的に示す図である。
【図４】光伝送路としての光導波路の構成の一例を示し、（ａ）は側面図であり、（ｂ）は断面図であり、（ｃ）は斜視図である。
【図５】変形例１−１としての光配線の構成の一例を示し、（ａ）は断面図であり、（ｂ）は平面図である。
【図６】図５の光配線のさらに他の変形例を示す断面図である。
【図７】変形例１−２としての光配線の構成の一例を示し、（ａ）は側面図であり、（ｂ）は平面図である。
【図８】変形例１−３としての光配線の構成の一例を示す平面図である。
【図９】変形例１−４としての光配線の構成の一例を示す平面図である。
【図１０】変形例１−５としての光配線の構成の一例を示し、（ａ）は平面図であり、（ｂ）はＣＣ'線断面図である。
【図１１】変形例２としての光配線の構成の一例を示す断面図である。
【図１２】図１１の光配線のさらに他の変形例を示す断面図である。
【図１３】変形例３としての光配線の構成の一例を示し、図１３（ａ）は平面図であり、図１３（ｂ）はＣＣ'線断面図である。
【図１４】変形例４としての光配線の構成の一例を示す断面図である。
【図１５】変形例５としての光配線の構成の一例を示す断面図である。
【図１６】変形例６としての光配線の構成の一例を示す断面図である。
【図１７】変形例７としての光配線の構成の一例を示し、（ａ）は平面図であり、（ｂ）は断面図である。
【図１８】変形例８としての光配線の構成の一例を示し、（ａ）は断面図であり、（ｂ）は光配線の一部を拡大した断面図である。
【図１９】変形例９としての光配線の構成の一例を示す側面図である。
【図２０】（ａ）は、本実施形態に係る光配線を備えた折り畳み式携帯電話の外観を示す斜視図であり、（ｂ）は、（ａ）に示した折り畳み式携帯電話における、上記光配線が適用されている部分のブロック図であり、（ｃ）は、（ａ）に示した折り畳み式携帯電話における、ヒンジ部の透視平面図である。
【図２１】（ａ）は、本実施形態に係る光配線を備えた印刷装置の外観を示す斜視図であり、（ｂ）は、（ａ）に示した印刷装置の主要部を示すブロック図であり、（ｃ）および（ｄ）は、印刷装置においてプリンタヘッドが移動（駆動）した場合の、光配線の湾曲状態を示す斜視図である。
【図２２】本実施形態に係る光配線を備えたハードディスク記録再生装置の外観を示す斜視図である。
【図２３】折り畳み式携帯電話における、本実施形態の光配線の適用箇所を示す模式図である。
【図２４】一体型モジュールの概略構成を示す斜視図である。
【図２５】（ａ）は、一体型モジュールの他の構成例を示す機能図であり、（ｂ）は、（ａ）に示された一体型モジュールの構成の一例を示した側面図である。
【図２６】一体型モジュールにおける光配線の可動（変形）例を模式的に示し、（ａ）は光配線及び電気配線が共に屈曲したときの可動例を示す側面図であり、（ｂ）は、電気配線が捩れたときの光配線の可動例を示す断面図であり、（ｃ）は、電気配線がスライドしたときの光配線の可動例を示す側面図である。
【符号の説明】
【０１９６】
１    光伝送モジュール
２    光送信処理部
３    光受信処理部
４    光配線
５    発光駆動部
６    発光部
７    増幅部
８    受光部（光素子）
９    光伝送路
９ｃ    対向面
１０    潤滑層（機能層）
１０ａ  平面
１０ｂ  凹部
１０ｃ  凸部
１０ｄ  スリット
１０ｅ  凹部
１０ｆ  凸部
１０'  プライマ層
１１    構造体
１２    光導波路
１２ａ  凹部
１２ｂ  凸部
１２ｃ  光路変換ミラー面
１３    コア部
１４    クラッド部
１３ａ，１４ａ  接面
１３ｂ，１４ｂ  面
１５    電気配線
１６    実装外郭
１７    基板
１８    パッケージ
【図１】
2009075365.tif 000003
【図２】
2009075365.tif 000004
【図３】
2009075365.tif 000005
【図４】
2009075365.tif 000006
【図５】
2009075365.tif 000007
【図６】
2009075365.tif 000008
【図７】
2009075365.tif 000009
【図８】
2009075365.tif 000010
【図９】
2009075365.tif 000011
【図１０】
2009075365.tif 000012
【図１１】
2009075365.tif 000013
【図１２】
2009075365.tif 000014
【図１３】
2009075365.tif 000015
【図１４】
2009075365.tif 000016
【図１５】
2009075365.tif 000017
【図１６】
2009075365.tif 000018
【図１７】
2009075365.tif 000019
【図１８】
2009075365.tif 000020
【図１９】
2009075365.tif 000021
【図２０】
2009075365.tif 000022
【図２１】
2009075365.tif 000023
【図２２】
2009075365.tif 000024
【図２３】
2009075365.tif 000025
【図２４】
2009075365.tif 000026
【図２５】
2009075365.tif 000027
【図２６】
2009075365.tif 000028
【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
電子機器に搭載される光配線であって、
光信号を伝送する光伝送路を備え、
電子機器内の構造体との接触時に発生する摩擦を、光伝送路と構造体との接触時よりも低減させ、かつ光伝送路の変形に応じて可撓する機能層が設けられており、
上記機能層は、微粒子と、該微粒子を固定する固定樹脂の固化物からなる固定層とを備え、上記微粒子が上記固定層に対して突出しており、
上記固定層は、その表面が隣接する上記微粒子の突出部分の先端を結ぶ平面を上回ることがないように形成されていることを特徴とする光配線。
【請求項２】
上記微粒子の粒径が４５０ｎｍよりも小さいことを特徴とする請求項１に記載の光配線。
【請求項３】
上記機能層は、光伝送路における上記構造体との対向面を含む面に設けられていることを特徴とする請求項１に記載の光配線。
【請求項４】
上記光伝送路が、透光性を有する材料から構成されるコア部と、該コア部の屈折率と異なる屈折率を有する材料から構成されるクラッド部とを備えた光導波路であることを特徴とする請求項１に記載の光配線。
【請求項５】
上記コア部と上記機能層とが接しており、
該コア部における機能層との接面が、上記クラッド部における機能層との接面と同一平面になっていることを特徴とする請求項４に記載の光配線。
【請求項６】
上記コア部及び上記クラッド部における機能層と反対側の面が、同一平面になっていることを特徴とする請求項４に記載の光配線。
【請求項７】
上記光伝送路が、透光性を有する材料から構成されるコア部のみで構成されていることを特徴とする請求項１に記載の光配線。
【請求項８】
上記機能層は、微粒子と、上記固定樹脂が溶剤中に溶解した樹脂溶液とが混合した微粒子混合液を乾燥させることにより形成され、
上記固定層は、上記溶剤の蒸発に伴い固化した固定樹脂の固化物からなり、該固化物が凹部を形成するようになっていることを特徴とする請求項１に記載の光配線。
【請求項９】
請求項１に記載の光配線を備えた光伝送モジュールであって、
電気信号を光信号に変換する第１の光素子が搭載された第１の基板と、
光信号を電気信号に変換する第２の光素子が搭載された第２の基板とを備え、
上記光配線は、上記第１及び第２の光素子と光学的に結合して、第１及び第２の基板間で光信号を伝送するようになっていることを特徴とする光伝送モジュール。